(57)【要約】【課題】復元力の大きなバネや高トルクのモータを必要とせず、かつ、緩やかに開閉動作を行うことができるディスクプレイヤの扉開閉装置を提供する。【解決手段】一方端が扉に固着し、他方端がディスクプレイヤ本体に回動自在に支持された左扉開閉部材２と、左扉開閉部材の回動軸２ａに固着され左扉開閉部材と連動して回動する、第１ボス３ａと第２ボス３ｂとを設けられたレバー３と、左扉開閉部材の回動軸２ａに回動自在に設けられ、第１リブ４ａと第２リブ４ｂとを設けられたギア４と、ギア４に噛合され、ギア４の回動を抑制するダンパー５と、扉を閉じるように左扉開閉部材２を回動させる方向に働く左トーションバネ６とを備え、第１ボス３ａが第１リブ４ａに当接している間、及び、第２ボス３ｂが第２リブ４ｂに当接している間のみ、扉の開閉動作がダンパー５により抑制される。【選択図】図２
2008152885.tif 000002
【特許請求の範囲】
【請求項１】
ディスクをディスクプレイヤ本体に装着脱するためのディスク装着トレイを出し入れさせる開口窓を開閉するための扉と、
一方端が前記扉に固着され、他方端が前記ディスクプレイヤ本体に回動自在に支持された扉開閉部材と、
前記扉開閉部材に前記扉を閉じる方向の回動力を付与するトーションバネと、
を備え、
前記ディスク装着トレイが前記開口窓から引き出されるときは当該ディスク装着トレイの押圧力により前記扉開閉部材を回動させて前記扉を所定の開位置に移動させ、前記ディスク装着トレイが前記開口窓に引き込まれるときは前記トーションバネにより前記扉開閉部材を回動させて前記扉を所定の閉位置に移動させる扉開閉装置であって、
前記扉開閉部材の回動力を抑制する抑制部材と、
前記扉の開閉動作における前記抑制部材が前記扉開閉部材の回動力を抑制する区間を制限する制限部材と、
を備えたことを特徴とするディスクプレイヤの扉開閉装置。
【請求項２】
前記抑制部材は、回転時に前記扉開閉部材の回動力を吸収する回転部材からなり、
前記制限部材は、前記扉開閉部材の回動軸と前記回転部材の回転軸とを連結する連結部材と、前記扉開閉部材の全回動範囲の一部の区間で当該扉開閉部材の回動力を前記連結部材を介して前記回転部材に伝達させる伝達制御部材とからなる、
ことを特徴とする請求項１に記載のディスクプレイヤの扉開閉装置。
【請求項３】
前記連結部材は、前記扉開閉部材の回動軸に回動自在に設けられた板状の第１のギアと、前記回転部材の回転軸に固着され、前記第１のギアに噛合された第２のギアとからなり、
前記伝達制御部材は、前記第１のギアの一方面に回動中心を挟む角度が所定の第１の角度となるように突設された２個の第１の突出部材と、前記扉開閉部材に、開き角が前記第１の角度よりも大きい所定の第２の角度をなすとともに、前記第１の突出部材を挟み込むように設けられた２個の第２の突出部材とからなり、
前記扉を前記閉位置から開くときは、前記扉開閉部材が回動開始から前記第１の角度と前記第２の角度の差の角度だけ回動したときに前記第２の突出部材の一方が前記第１の突出部材の一方に当接して前記第１のギアを前記扉開閉部材の回動に連動して回動させ、前記扉を前記開位置から閉じるときは、前記扉開閉部材が回動開始から前記差の角度だけ回動したときに前記第２の突出部材の他方が前記第１の突出部材の他方に当接して前記第１のギアを前記扉開閉部材の回動に連動して回動させることを特徴とする請求項２に記載のディスクプレイヤの扉開閉装置。
【請求項４】
前記第２の突出部材は、前記扉開閉部材の回動軸に固着されていることを特徴とする請求項３に記載のディスクプレイヤの扉開閉装置。
【請求項５】
前記第１の角度と前記第２の角度の差の角度は、前記扉を前記閉位置から開くときは、少なくとも前記扉に対して閉じる方向に重力が働く間、前記第２の突出部材の一方が前記第１の突出部材の一方に当接せず、前記扉を前記開位置から閉じるときは、少なくとも前記扉に対して閉じる方向に重力が働く間、前記第２の突出部材の他方が前記第１の突出部材の他方に当接する角度であることを特徴とする、請求項３または４に記載のディスクプレイヤの扉開閉装置。
【請求項６】
前記第１のギアには、前記２個の第１の突出部材に代えて、両端と当該第１のギアの回動中心とを結ぶ角度が所定の第１の角度となるような１個の第３の突出部材が設けられ、
前記扉を前記閉位置から開くときは、前記扉開閉部材が回動開始から前記第１の角度と前記第２の角度の差の角度だけ回動したときに前記第２の突出部材の一方が前記第３の突出部材の一方端面に当接して前記第１のギアを前記扉開閉部材の回動に連動して回動させ、前記扉を前記開位置から閉じるときは、前記扉開閉部材が回動開始から前記差の角度だけ回動したときに前記第２の突出部材の他方が前記第３の突出部材の他方端面に当接して前記第１のギアを前記扉開閉部材の回動に連動して回動させることを特徴とする請求項３又は４に記載のディスクプレイヤの扉開閉装置。
【請求項７】
前記第１の角度と前記第２の角度の差の角度は、前記扉を前記閉位置から開くときは、少なくとも前記扉に対して閉じる方向に重力が働く間、前記第２の突出部材の一方が前記第３の突出部材の一方端面に当接せず、前記扉を前記開位置から閉じるときは、少なくとも前記扉に対して閉じる方向に重力が働く間、前記第２の突出部材の他方が前記第３の突出部材の他方端面に当接する角度であることを特徴とする、請求項６のいずれかに記載のディスクプレイヤの扉開閉装置。
【発明の詳細な説明】
【技術分野】
【０００１】
本願発明は、ディスクプレイヤのディスク装着トレイを出し入れさせる開口窓に設けられた扉の開閉を行う扉開閉装置に関する。
【背景技術】
【０００２】
従来、ディスクプレイヤのディスク装着トレイ（以下、「トレイ」と略する。）を出し入れさせる開口窓に設けられた扉を、開けるときはトレイの扉を押す力を利用し、閉じるときはバネの復元力を利用する扉開閉装置があった。例えば、実開平５−９０６８０公報には、通常はスプリングの復元力により扉を閉じているが、モータ駆動で動くトレイが扉の裏側に設けられたローラを直接押すことで扉を開ける扉開閉装置が記載されている。
【０００３】
【特許文献１】実開平５−９０６８０号公報
【０００４】
また、引っ張りコイルバネの代わりにトーションバネを用いる扉開閉装置も知られている。図１３は、従来のトーションバネを用いたディスクプレイヤの扉開閉装置の全体斜視図である。図１３は、トーションバネの復元力により扉が閉じている状態の扉開閉装置を、ディスクプレイヤの内部から見た図である。
【０００５】
この扉開閉装置は、左扉開閉部材１０２、右扉開閉部材１０７、左トーションバネ１０６、右トーションバネ１０８、扉１０９、トレイ蓋１１０、トレイ１１１により構成されている。なお、ディスクプレイヤの正面（図１３において、紙面裏側）から扉１０９を見たとき、左側に位置する扉開閉部材、トーションバネを左扉開閉部材１０２、左トーションバネ１０６としている。
【０００６】
左扉開閉部材１０２は、「く」の字型の板状部材の一方端の先端部分に扉１０９の左端部裏側に固着するための扉固着部１０２ｄが設けられた形状を成している。左扉開閉部材１０２の他方端の一方の面（組み立て時に外側となる面）には、ディスクプレイヤ本体１０１の一部に設けられた挿入孔１０１ａに挿入されて回動自在に支持されるための回動軸１０２ａが設けられている。また、前記回動軸１０２ａの反対側には、左トーションバネ１０６のコイル部分を挿入するための円柱状の突起であるバネ取付用突起１０２ｂが設けられている。また、左扉開閉部材１０２のバネ取付用突起１０２ｂが設けられた面の外側屈曲部付近には、左トーションバネ１０６の一方端を固定するためのバネ受け１０２ｃが設けられている。
【０００７】
左トーションバネ１０６は、そのコイル部分が左扉開閉部材のバネ取付用突起１０２ｂに回動自在に挿入されている。左トーションバネ１０６の一方端は、左扉開閉部材のバネ受け１０２ｃで左扉開閉部材１０２に固定され、他方端は、ディスクプレイヤ本体１０１の一部に設けられたバネ受け１０１ｂに固定されている。左トーションバネ１０６の復元力は、左扉開閉部材１０２の、回動軸１０２ａを中心とした図１３における反時計回り方向の回動のために働く。
【０００８】
右扉開閉部材１０７は、「く」の字型の板状部材の一方端の先端部分に扉１０９の右端部裏側に固着するための扉固着部１０７ｄが設けられた形状を成している。右扉開閉部材１０７の他方端には、ディスクプレイヤ本体１０１の一部に設けられた回動軸１０１ｄに挿入されて回動自在に支持されるための穴である挿入穴１０７ａが穿設されている。また、右扉開閉部材１０７の一方の面（組み立て時に内側となる面）の外側屈曲部付近には、右トーションバネ１０８の一方端を固定するためのバネ受け１０７ｃが設けられている。
【０００９】
右トーションバネ１０８は、そのコイル部分が、ディスクプレイヤ本体１０１の一部に設けられた回動軸１０１ｄに回動自在に挿入されている。右トーションバネ１０８の一方端は、右扉開閉部材のバネ受け１０７ｃに固定され、他方端は、ディスクプレイヤ本体１０１の一部に設けられたバネ受け１０１ｃに固定されている。右トーションバネ１０８の復元力は、右扉開閉部材１０７の、挿入穴１０７ａを中心とした図１３における反時計回り方向の回動のために働く。
【００１０】
扉１０９は、左端部裏側を左扉開閉部材１０２に固着され、右端部裏側を右扉開閉部材１０７に固着されている。よって、扉１０９は、左扉開閉部材１０２と右扉開閉部材１０７の回動に伴って移動し、自在に開閉動作を行なうことができる。図１３においては、各トーションバネ１０６，１０８の復元力（以下、「バネの復元力」という。）により、各扉開閉部材１０２，１０７を通して扉１０９に力Ｆ’が働く。扉１０９は、図示しないディスクプレイヤ本体１０１の開口窓により、所定位置からの更なる移動を阻止され、扉１０９は閉位置にある状態を維持している。
【００１１】
次に、従来のトーションバネを用いたディスクプレイヤの扉開閉装置の開閉動作について、図１４〜図１５を用いて説明する。なお、これらの図は、図１３におけるＡ’の方向から見た図なので、扉１０９を正面から見たときの右側部分は図示されていない。
【００１２】
図１４は、扉開閉装置とその周辺部分を横（図１３におけるＡ’の方向）から見た図であり、扉１０９が閉位置にある状態である。このとき、バネの復元力が働くが、開口窓１１２により回動を阻止されているので、扉１０９は閉位置にある状態を維持している。
【００１３】
この扉開閉装置は、トレイ１１１の図の右方向への移動により、扉１０９を開く構造となっている。すなわち、トレイ１１１が図示しないモータにより図の右方向に移動されたとき、トレイ蓋１１０が左扉開閉部材の扉固着部１０２ｄと右扉開閉部材の扉固着部１０７ｄとを押すことで、扉１０９が両扉開閉部材１０２，１０７と共に回動し、扉１０９が開く。
【００１４】
図１５は、扉１０９が、両扉開閉部材１０２，１０７の回動方向に重力が働かない位置に達したところである。すなわち、扉１０９及び両扉開閉部材１０２，１０７を合わせた重心が回動中心である左扉開閉部材の回動軸１０２ａとディスクプレイヤ本体の回動軸１０１ｄの鉛直上方に位置していて、回動方向の重力が働いていない状態である。この状態以降は、扉１０９及び両扉開閉部材１０２，１０７に、トレイ蓋１１０の押す力に加えて、重力の図における時計回り方向の成分が働き、扉１０９の回動速度は増加する。
【００１５】
また、この扉開閉装置は、トレイ１１１の図の左方向への移動により、扉１０９を閉じる構造となっている。すなわち、トレイ１１１が図示しないモータにより図の左方向に移動されたとき、トレイ蓋１１０による左扉開閉部材の扉固着部１０２ｄと右扉開閉部材の扉固着部１０７ｄの支えがなくなり、バネの復元力によって、扉１０９が両扉開閉部材１０２，１０７と共に回動し、扉１０９が閉じる。
【発明の開示】
【発明が解決しようとする課題】
【００１６】
しかしながら、トレイ蓋１１０の押す力とバネの復元力及び扉にかかる重力の回動方向成分により扉１０９の開閉を行なうので、扉１０９の開閉動作が急となり高級感に欠ける。特に、扉１０９の開く動作における開位置付近や閉じる動作における閉位置付近は、重力の回動方向成分が大きく、急な開閉動作による使用部品の損傷や劣化も問題となる。そこで、扉１０９の開閉動作を緩やかにするため、ダンパーを設けたものが知られている。ダンパーとは、オイル等の粘性抵抗を利用して急激な回動運動を抑制するための部品である。このダンパーにより、両扉開閉部材１０２，１０７の急激な回動運動は抑制され、扉１０９を緩やかに開閉させることができるようになっている。
【００１７】
しかし、ダンパーによる抑制力が働くことで、それに対抗できるようバネの復元力を強いものにしなければならず、また、トレイ蓋１１０の押す力を増すために、トレイ１１１を移動させるモータのトルクも高いものにしなければならない。
【００１８】
従来の扉開閉装置にダンパーを取り付けた場合、扉１０９が開位置から閉じるとき図１５の状態までは、重力の回動方向成分が扉１０９を開く方向に働き、ダンパーの抑制力は回動方向とは反対の方向に働くので、扉１０９を閉じるためには、バネの復元力＞（ダンパーの抑制力＋重力の回動方向成分）となるトーションバネが必要になる。すなわち、ダンパーのないときより強力なトーションバネが必要となる。
【００１９】
また、扉１０９が閉位置から開くとき、図１４の状態から図１５の状態までは、重力の回動方向成分が扉１０９を閉じる方向に働き、ダンパーの抑制力は回動方向とは反対の方向に働くので、扉１０９を開くためには、トレイ蓋１１０が押す力（＝モータのトルク）＞（バネの復元力＋ダンパーの抑制力＋重力の回動方向成分）となるモータが必要になる。上記のように、扉１０９を閉じるためにトーションバネが強力にされている上に、ダンパーの抑止力にも対抗しないといけないので、高トルクのモータが必要となる。高トルクのモータは高額で、電力の消費量も多く、また、高トルクのモータによる回転力がかかるためにトーションバネが劣化しやすいという問題もある。
【００２０】
本願発明は上記した事情のもとで考え出されたものであって、復元力の大きなバネや高トルクのモータを必要とせず、かつ、開閉動作を緩やかにできるディスクプレイヤの扉開閉装置を提供することをその目的としている。
【課題を解決するための手段】
【００２１】
上記課題を解決するため、本願発明では、次の技術的手段を講じている。
【００２２】
本願発明によって提供されるディスクプレイヤの扉開閉装置は、ディスクをディスクプレイヤ本体に装着脱するためのディスク装着トレイを出し入れさせる開口窓を開閉するための扉と、一方端が前記扉に固着され、他方端が前記ディスクプレイヤ本体に回動自在に支持された扉開閉部材と、前記扉開閉部材に前記扉を閉じる方向の回動力を付与するトーションバネとを備え、前記ディスク装着トレイが前記開口窓から引き出されるときは当該ディスク装着トレイの押圧力により前記扉開閉部材を回動させて前記扉を所定の開位置に移動させ、前記ディスク装着トレイが前記開口窓に引き込まれるときは前記トーションバネにより前記扉開閉部材を回動させて前記扉を所定の閉位置に移動させる扉開閉装置であって、前記扉開閉部材の回動力を抑制する抑制部材と、前記扉の開閉動作における前記抑制部材が前記扉開閉部材の回動力を抑制する区間を制限する制限部材とを備えたことを特徴とする（請求項１）。
【００２３】
上記構成によれば、ディスクプレイヤの扉開閉装置に、扉開閉部材の回動力を抑制する抑制部材と、その抑制する区間を制限する制限部材を設けたので、扉開閉部材の回動力を抑制する区間と抑制しない区間を設定することができ、緩やかな開閉動作を必要とする区間は扉開閉部材の回動力を抑制し、それ以外の区間は扉開閉部材の回動力を抑制しないので、開閉動作にかける力を減らすことができる。
【００２４】
なお、請求項１に記載のディスクプレイヤの扉開閉装置において、前記抑制部材は、回転時に前記扉開閉部材の回動力を吸収する回転部材からなり、前記制限部材は、前記扉開閉部材の回動軸と前記回転部材の回転軸とを連結する連結部材と、前記扉開閉部材の全回動範囲の一部の区間で当該扉開閉部材の回動力を前記連結部材を介して前記回転部材に伝達させる伝達制御部材とからなるとよい。（請求項２）。
【００２５】
上記構成によれば、抑制部材は回転時に扉開閉部材の回動力を吸収する回転部材とし、制限部材は、扉開閉部材の回動軸と回転部材の回転軸とを連結する連結部材と、扉開閉部材の全回動範囲の一部の区間で当該扉開閉部材の回動力を連結部材を介して回転部材に伝達させる伝達制御部材としたので、扉開閉部材の全回動範囲の一部の区間（緩やかな開閉動作を必要とする区間）でのみ扉開閉部材の回動力を回転部材に伝えて吸収することができる。
【００２６】
また、前記連結部材は、前記扉開閉部材の回動軸に回動自在に設けられた板状の第１のギアと、前記回転部材の回転軸に固着され、前記第１のギアに噛合された第２のギアとからなり、前記伝達制御部材は、前記第１のギアの一方面に回動中心を挟む角度が所定の第１の角度となるように突設された２個の第１の突出部材と、前記扉開閉部材に、開き角が前記第１の角度よりも大きい所定の第２の角度をなすとともに、前記第１の突出部材を挟み込むように設けられた２個の第２の突出部材とからなり、前記扉を前記閉位置から開くときは、前記扉開閉部材が回動開始から前記第１の角度と前記第２の角度の差の角度だけ回動したときに前記第２の突出部材の一方が前記第１の突出部材の一方に当接して前記第１のギアを前記扉開閉部材の回動に連動して回動させ、前記扉を前記開位置から閉じるときは、前記扉開閉部材が回動開始から前記差の角度だけ回動したときに前記第２の突出部材の他方が前記第１の突出部材の他方に当接して前記第１のギアを前記扉開閉部材の回動に連動して回動させるとよい。（請求項３）。
【００２７】
上記構成によれば、扉を開く動作時、扉開閉部材に設けられた第２の突出部材の一方が第１のギアに設けられた第１の突出部材の一方に当接している間だけ第１のギアが扉開閉部材と共に回動し、第１のギアが第２のギアを介して回転部材により回動を抑制されることにより、第１のギアと共に回動する扉開閉部材の回動が抑制され、扉開閉部材が固着している扉を開く動作も抑制される。よって、扉の急な開く動作を抑制して、緩やかな開く動作を行なうことができる。また、扉開閉部材が回動開始から所定の角度を回動するまでの、第２の突出部材の一方が第１の突出部材の一方に当接するまでの間は、回転部材が作用せず、回転部材による抑制力に対抗する必要がないので、扉を開くのに必要な力を小さくすることができる。
【００２８】
一方、扉を閉じる動作時、扉開閉部材に設けられた第２の突出部材の他方が第１のギアに設けられた第１の突出部材の他方に当接している間だけ第１のギアが扉開閉部材と共に回動し、第１のギアが第２のギアを介して回転部材により回動を抑制されることにより、第１のギアと共に回動する扉開閉部材の回動が抑制され、扉開閉部材が固着している扉を閉じる動作も抑制される。よって、扉の急な閉じる動作を抑制して、緩やかな閉じる動作を行なうことができる。また、扉開閉部材が回動開始から所定の角度を回動するまでの、第２の突出部材の他方が第１の突出部材の他方に当接するまでの間は、回転部材が作用せず、回転部材による抑制力に対抗する必要がないので、復元力の小さいトーションバネでも扉を閉じることができる。
【００２９】
更に、請求項３に記載のディスクプレイヤの扉開閉装置において、前記第２の突出部材は、前記扉開閉部材の回動軸に固着されているとよい（請求項４）。
【００３０】
上記構成によれば、扉開閉部材をディスクプレイヤ本体に設置した後に第２の突出部材を扉開閉部材の回動軸に固着できるので、各部材の配置や組み立ての工程に自由度がある。
【００３１】
また、請求項３または４に記載のディスクプレイヤの扉開閉装置において、前記第１の角度と前記第２の角度の差の角度は、前記扉を前記閉位置から開くときは、少なくとも前記扉に対して閉じる方向に重力が働く間、前記第２の突出部材の一方が前記第１の突出部材の一方に当接せず、前記扉を前記開位置から閉じるときは、少なくとも前記扉に対して閉じる方向に重力が働く間、前記第２の突出部材の他方が前記第１の突出部材の他方に当接する角度であるとよい（請求項５）。
【００３２】
上記構成によれば、扉を開く動作時、扉に対して閉じる方向に重力が働く間は回転部材が作用しないので、扉を開くのに必要な力を小さくすることができ、扉が所定以上開いてからは回転部材が作用して扉の急な開く動作を抑制することができる。一方、扉を閉じる動作時、扉が所定以上閉じるまでは回転部材が作用しないので、復元力の小さいトーションバネでも扉を閉じることができ、扉に対して閉じる方向に重力が働く間は回転部材が作用して扉の急な閉じる動作を抑制することができる。
【００３３】
また、請求項３または４に記載のディスクプレイヤの扉開閉装置において、前記第１のギアには、前記２個の第１の突出部材に代えて、両端と当該第１のギアの回動中心とを結ぶ角度が所定の第１の角度となるような１個の第３の突出部材が設けられ、前記扉を前記閉位置から開くときは、前記扉開閉部材が回動開始から前記第１の角度と前記第２の角度の差の角度だけ回動したときに前記第２の突出部材の一方が前記第３の突出部材の一方端面に当接して前記第１のギアを前記扉開閉部材の回動に連動して回動させ、前記扉を前記開位置から閉じるときは、前記扉開閉部材が回動開始から前記差の角度だけ回動したときに前記第２の突出部材の他方が前記第３の突出部材の他方端面に当接して前記第１のギアを前記扉開閉部材の回動に連動して回動させるとよい（請求項６）。
【００３４】
上記構成によれば、第１のギアに設けられる突出部材は１つで済み、組み立て時の位置決めにおいて、その第３の突出部材を２個の第２の突出部材の間に位置させればいいだけなので、２個の第１の突出部材を２個の第２の突出部材の間に位置させるより簡単である。
【００３５】
更に、請求項６に記載のディスクプレイヤの扉開閉装置において、前記第１の角度と前記第２の角度の差の角度は、前記扉を前記閉位置から開くときは、少なくとも前記扉に対して閉じる方向に重力が働く間、前記第２の突出部材の一方が前記第３の突出部材の一方端面に当接せず、前記扉を前記開位置から閉じるときは、少なくとも前記扉に対して閉じる方向に重力が働く間、前記第２の突出部材の他方が前記第３の突出部材の他方端面に当接する角度であるとよい（請求項７）。
【００３６】
上記構成によれば、扉を開く動作時、扉に対して閉じる方向に重力が働く間は回転部材が作用しないので、扉を開くのに必要な力を小さくすることができ、扉が所定以上開いてからは回転部材が作用して扉の急な開く動作を抑制することができる。一方、扉を閉じる動作時、扉が所定以上閉じるまでは回転部材が作用しないので、復元力の小さいトーションバネでも扉を閉じることができ、扉に対して閉じる方向に重力が働く間は回転部材が作用して扉の急な閉じる動作を抑制することができる。
【００３７】
本願発明のその他の特徴および利点は、添付図面を参照して以下に行う詳細な説明によって、より明らかとなろう。
【発明を実施するための最良の形態】
【００３８】
以下、本願発明の好ましい実施の形態を、図面を参照して具体的に説明する。
【００３９】
図１は、第１実施形態に係るディスクプレイヤの扉開閉装置の全体斜視図である。図１は、トーションバネの復元力により扉が閉位置にある状態の扉開閉装置を、ディスクプレイヤの内部から見た図である。図２は、第１実施形態に係るディスクプレイヤの扉開閉装置の主要部分の分解斜視図である。
【００４０】
この扉開閉装置は、左扉開閉部材２、レバー３、ギア４、ダンパー５、左トーションバネ６、右扉開閉部材７、右トーションバネ８、扉９、トレイ蓋１０、トレイ１１により構成されている。ディスクプレイヤの正面（図１において、紙面裏側）から扉９を見たとき、左側に位置する扉開閉部材、トーションバネを左扉開閉部材２、左トーションバネ６としている。図１において、レバー３及び左トーションバネ６は、他の部分に隠されているため図示されていない。
【００４１】
左扉開閉部材２は、「く」の字型の板状部材の一方端の先端部分に扉９の左端部裏側に固着するための扉固着部２ｄが設けられた形状を成している。左扉開閉部材２の他方端の一方の面（組み立て時に外側となる面）には、図２に示すように、ディスクプレイヤ本体１の一部に設けられた挿入孔１ａに挿入されて回動自在に支持されるための回動軸２ａが設けられている。また、前記回動軸２ａの反対側には、左トーションバネ６のコイル部分を挿入するための円柱状の突起であるバネ取付用突起２ｂが設けられている。また、左扉開閉部材２のバネ取付用突起２ｂが設けられた面の外側屈曲部付近には、左トーションバネ６の一方端を固定するためのバネ受け２ｃが設けられている。
【００４２】
左トーションバネ６は、そのコイル部分が左扉開閉部材のバネ取付用突起２ｂに回動自在に挿入されている。左トーションバネ６の一方端は、左扉開閉部材のバネ受け２ｃで左扉開閉部材２に固定され、他方端は、ディスクプレイヤ本体１の一部に設けられたバネ受け１ｂに固定されている。左トーションバネ６の復元力は、左扉開閉部材の回動軸２ａを中心とした図１における反時計回り方向の回動のために働く。
【００４３】
右扉開閉部材７は、「く」の字型の板状部材の一方端の先端部分に扉９の右端部裏側に固着するための扉固着部７ｄが設けられた形状を成している。右扉開閉部材７の他方端には、ディスクプレイヤ本体１の一部に設けられた回動軸１ｄに挿入されて回動自在に支持されるための穴である挿入穴７ａが穿設されている。また、右扉開閉部材７の一方の面（組み立て時に内側となる面）の外側屈曲部付近には、右トーションバネ８の一方端を固定するためのバネ受け７ｃが設けられている。
【００４４】
右トーションバネ８は、そのコイル部分が、ディスクプレイヤ本体１の一部に設けられた回動軸１ｄに回動自在に挿入されている。右トーションバネ８の一方端は、右扉開閉部材のバネ受け７ｃに固定され、他方端は、ディスクプレイヤ本体１の一部に設けられたバネ受け１ｃに固定されている。右トーションバネ８の復元力は、右扉開閉部材７の、挿入穴７ａを中心とした図１における反時計回り方向の回動のために働く。
【００４５】
扉９は、左端部裏側を左扉開閉部材２に固着され、右端部裏側を右扉開閉部材７に固着されている。よって、扉９は、左扉開閉部材２と右扉開閉部材７の回動に伴って移動し、自在に開閉動作を行なうことができる。図１においては、各トーションバネ６，８の復元力により、各扉開閉部材２，７を通して扉９に力Ｆが働く。扉９は、図示しないディスクプレイヤ本体１の開口窓により、所定位置からの更なる回動を阻止され、扉９は閉位置にある状態を維持している。
【００４６】
レバー３、ギア４、ダンパー５は、従来の扉開閉装置に追加された構成であり、第１実施形態の主要部分となる。これらの構成により、扉９の開く動作における閉位置付近や閉じる動作における開位置付近ではダンパー５を作用させず、開く動作における開位置付近や閉じる動作における閉位置付近ではダンパー５を作用させることができる。この第１実施形態の主要部分について、図２に分解斜視図を示している。
【００４７】
レバー３は、中心に穴の開いた円柱状の部材の側面の、組立て時に外側となる面（以下、「外側面」という）付近から２本の腕が伸びた構造をしている。２本の腕は、中心軸に対して垂直で、互いに約１００度の角度で延びている。各腕の先端には、それぞれ外側面方向にボスが設けられている。なお、ここでボスとは、レバー３の各腕の先端に設けられた円柱状の突出部分であり、特許請求の範囲に記載の２個の第２の突出部材に相当する。外側面を右側、２本の腕のなす角度が狭い方を手前としたとき（すなわち、図２のレバー３の配置）、下方に位置する腕に設けられたボスを第１ボス３ａ、上方に位置する腕に設けられたボスを第２ボス３ｂとする。
【００４８】
なお、レバー３の構造は、これに限定されるものではなく、自由に設計される。特に２本の腕がなす角度は、扉９の開閉動作におけるダンパー５を作用させる区間により異なる。また、レバー３は、その中心の穴に、ディスクプレイヤ本体１の一部に設けられた挿入孔１ａを隔てて、左扉開閉部材の回動軸２ａを通して固着され、左扉開閉部材２と連動して回動する。なお、レバー３は、第２ボス３ｂが左扉開閉部材２の内側屈曲部付近に位置するように固定されているが、この限りではない。
【００４９】
ギア４は、約９０度の扇形の板状部材で、弧の部分に歯が設けられ、頂点付近に左扉開閉部材の回動軸２ａを通すための穴が穿設されている。回動軸２ａの先端にはビス止め用の穴が形成されており、この穴にビスが取り付けられることによって、ギア４の回動軸２ａからの脱落が防止される。また、組立て時に内側となる面（以下、「内側面」という。）に、弦方向に長い直方体である２つのリブが、回動中心を挟む角度が約７０度となるように設けられている。なお、ここでリブとは、ギア４に設けられた直方体状の突出部分であり、特許請求の範囲に記載の２個の第１の突出部材に相当する。内側面を左側、弧の部分を手前としたとき（すなわち、図２のギア４の配置）、下方に位置するリブを第１リブ４ａ、上方に位置するリブを第２リブ４ｂとする。
【００５０】
なお、ギア４の構造は、これに限定されるものではなく、自由に設計される。特に２つのリブが回動中心となす角度は、扉９の開閉動作におけるダンパー５を作用させる区間により異なる。また、ギア４は、その中心の穴に挿入される左扉開閉部材の回動軸２ａにより、回動自在に支持される。なお、ギア４は、レバーの第１ボス３ａと第２ボス３ｂの間に、第１リブ４ａと第２リブ４ｂが位置するように、配置される。よって、レバーの第１ボス３ａがギアの第１リブ４ａに当接している間、または、レバーの第２ボス３ｂがギアの第２リブ４ｂに当接している間のみ、ギア４はレバー３と共に回動するが、それ以外のときは、ギア４は回動しない。
【００５１】
ダンパー５は、オイル等の粘性抵抗を利用して急激な回動運動を抑制するための部品であり、ダンパーギア５ａが回転する時、その回転を抑制するように作用する。ダンパーギア５ａは、ギア４と噛合している。よって、ギア４は回動するとき、ダンパー５により、その回動を抑制される。
【００５２】
以上の構成より、レバーの第１ボス３ａがギアの第１リブ４ａに当接している区間と、レバーの第２ボス３ｂがギアの第２リブ４ｂに当接している区間だけ、ギア４は回動してダンパー５により回動を抑制されるので、レバー３の回動は抑制される。よって、レバー３と連動する左扉開閉部材２も、この区間のみ回動が抑制され、左扉開閉部材の扉固着部２ｄが固着している扉９も、この区間のみ開閉動作を抑制される。
【００５３】
なお、レバーの第１ボス３ａがギアの第１リブ４ａに当接している区間と、レバーの第２ボス３ｂがギアの第２リブ４ｂに当接している区間は、レバー３の最大回動角度（扉９が閉位置にある状態から最大開放した状態までのレバー３の回動角度）と、レバーの第１ボス３ａと第２ボス３ｂとが回動中心となす角度からギアの第１リブ４ａと第２リブ４ｂとが回動中心となす角度を差し引いた角度（以下、「ダンパー不作用角度」という）とにより決定されるので、必然的に決まるレバー３の最大回動角度に対して、レバーの各ボス３ａ，３ｂとギアの各リブ４ａ，４ｂの位置を調整することで、ダンパー５の作用する区間を調整することができる。
【００５４】
図３は、レバー３とギア４の回動の状態を説明するための図である。図３においては、レバー３とギア４は図示せず、回動軸方向から見たレバーの第１ボス３ａと第２ボス３ｂ、及び、ギアの第１リブ４ａと第２リブ４ｂのみ図示している。なお、回動中心と第１ボス３ａ，第２ボス３ｂとを実線で、回動中心と第１リブ４ａ，第２リブ４ｂとを点線で結んでいる。また、ギア３の扉９の閉位置からの回動角度（以下、「ギア３の回動角度」という。）を説明するために、回動中心から扉９が閉位置にある状態の第１ボス３ａの方向に一点鎖線を図示している。この一点鎖線と回動中心から第１ボス３ａへ伸ばした実線のなす角度θがギア３の回動角度になる。
【００５５】
図３（ａ）は扉９が閉位置にある状態であり、レバーの第２ボス３ｂとギアの第２リブ４ｂとが当接している状態である。本実施形態では、レバーの両ボス３ａ，３ｂが回動中心となす角度を約１００度とし、ギアの両リブ４ａ，４ｂが回動中心となす角度を約７０度としている。図３（ｂ）は扉９が開いていって、レバーの第１ボス３ａとギアの第１リブ４ａが当接した状態である。このときのギア３の回動角度θは、レバーの両ボス３ａ，３ｂが回動中心となす角度（約１００度）から、ギアの両リブ４ａ，４ｂが回動中心となす角度（約７０度）を引いた角度（約３０度）となる。図３（ａ）の状態から図３（ｂ）の状態までの区間において、リブ４は回動せず、ダンパー５は作用しない。この区間は、ダンパー不作用角度により決定される。
【００５６】
図３（ｃ）は扉９が最大開放した状態である。本実施形態では、レバー３の最大回動角度は約８０度としているので、このときのギア３の回動角度θは、約８０度である。図３（ｂ）の状態から図３（ｃ）の状態までの区間において、リブ４はレバー３と共に回動し、ダンパー５が作用する。この区間は、ダンパー不作用角度とレバー３の最大回動角度とにより決定される。
【００５７】
図３（ｄ）は扉９が最大開放状態から閉じていって、レバーの第２ボス３ｂとギアの第２リブ４ｂとが当接した状態である。このときのギア３の扉９の回動角度θは、レバー３の最大回動角度（約８０度）からダンパー不作用角度（約３０度）を引いた角度（約５０度）となる。図３（ｃ）の状態から図３（ｄ）の状態までの区間において、リブ４は回動せず、ダンパー５は作用しない。この区間は、ダンパー不作用角度とレバー３の最大回動角度とにより決定される。
【００５８】
図３（ｅ）は扉９が閉位置に戻った状態である。図３（ｄ）の状態から図３（ｅ）の状態までの区間において、リブ４はレバー３と共に回動し、ダンパー５が作用する。この区間は、ダンパー不作用角度とレバー３の最大回動角度とにより決定される。
【００５９】
なお、上記図３の説明においては、リブやボスの厚みを無視しているが、これは考え方を説明するために簡略化したものであり、本来は、リブやボスの厚みも考慮しなければならない。また、これらの設定角度は、この実施形態に限られず、設計により変更されることは言うまでもない。例えば、ダンパー不作用角度を大きくした場合、扉９の開閉動作時のダンパー５が作用し始める角度が大きくなり、ダンパー５が作用しない区間（図３においては、（ａ）の状態から（ｂ）の状態まで、及び、（ｃ）の状態から（ｄ）の状態まで）が大きくなり、ダンパー５が作用する区間（図３においては、（ｂ）の状態から（ｃ）の状態まで、及び、（ｄ）の状態から（ｅ）の状態まで）が小さくなる。
【００６０】
次に、第１実施形態に係るディスクプレイヤの扉開閉装置の開閉動作について、図４〜図９を用いて説明する。なお、これらの図は、図１におけるＡの方向から見た図なので、扉を正面から見たときの右側部分は図示されていない。また、図１０は、扉９が閉位置から開位置を経て閉位置に戻るまでのレバー３とギア４の回動角度（扉９の閉位置を基準とする）を示すグラフであり、これも参照する。
【００６１】
図４は、扉開閉装置とその周辺部分を横（図１におけるＡの方向）から見た図である（扉が閉位置にある状態）。このときは、前回の閉じる動作が終わった後なので、レバーの第２ボス３ｂがギアの第２リブ４ｂに当接している。この状態は、後述する閉じる動作で説明する。この状態から、図示しないモータによって、トレイ１１は図の右方向に移動される。これにより、トレイ１１と一体に移動するトレイ蓋１０が、両扉開閉部材の扉固着部２ｄ，７ｄの扉９に固着しているのとは反対側の面（以下、「扉開閉部材押圧面」という。）を押すことになる。このトレイ蓋１０が押す力により、左扉開閉部材の回動軸２ａとディスクプレイヤ本体の回動軸１ｄを回動中心として、両扉開閉部材２，７が回動され、扉９が開く方向に移動する。
【００６２】
このときは、レバーの第１ボス３ａがギアの第１リブ４ａに当接していないため、ギア４は回動せず、ダンパー５も作用しない。このとき、重力は扉９の閉じる方向（図の反時計回りの方向）に働くので、扉９を開くためには、トレイ蓋１０が押す力（＝モータのトルク）＞（両トーションバネ６，８の復元力（以下、「バネの復元力」という。）＋扉９及び両扉開閉部材２，７を合わせた重心（以下、「扉９等の重心」という。）に働く重力の回動方向成分（以下、「重力成分」という。））となるモータであれば十分であり、ダンパー５の抑制力が働かない分、トルクの低いモータでも扉９を開くことができる。図１０においては、Ｉの区間に該当し、レバー３の回動角度のみ増加している。
【００６３】
図５は、扉開閉装置の扉９を開く動作の途中を示す図であり、扉９等の重心が回動中心である左扉開閉部材の回動軸２ａとディスクプレイヤ本体の回動軸１ｄの鉛直上方（以下、「鉛直位置」という。）に位置していて、回動方向に重力が働いていない状態である。この状態から更に扉９が開いたとき、扉９が開く方向（図の時計回りの方向）にはトレイ蓋１０が押す力に重力成分が加わることになり、扉９が開く方向に働く力＝（トレイ蓋１０が押す力＋重力成分−バネの復元力）となり、（トレイ蓋１０が押す力＋重力成分）≫バネの復元力のため、扉の開く動作が急激になってしまう。
【００６４】
よって、本実施形態では、重力が回動方向に働かない状態（図５参照）から更に扉９が開いたときに、第１ボス３ａが第１リブ４ａに当接して、ギア４を回動させ、ダンパー５を作用させるように設定してある。つまり、扉９等の重心が鉛直位置に位置するのは、レバー３が扉９の閉位置から約３０度回動したときなので、ダンパー不作用角度を約３０度となるように、両ボス３ａ，３ｂが回動中心となす角度を約１００度、両リブ４ａ，４ｂが回動中心となす角度を約７０度としている（図３（ａ），（ｂ）参照）。図１０においては、ＩＩの区間に該当し、レバー３と連動してギア４も回動し、ともに回動角度が増加している。また、ダンパー５の作用により、回動角度の角速度はＩの区間より小さく（グラフの傾斜が緩やかに）なっている。
【００６５】
図６は、扉開閉装置の扉９を開く動作の途中を示す図であり、両扉開閉部材２，７が最大回動したところである。このとき、扉開閉部材押圧面をトレイ蓋１０の下端が越えるので、これ以降はトレイ蓋１０が押す力は０になり、扉９が開く方向に働く力＝（重力成分−バネの復元力）となり、バネの復元力＞重力成分となるようなトーションバネ６，８を使用しているので、扉９には閉じる方向に力が働き、扉９は閉じる方向に移動する。このとき、第２ボス３ｂが第２リブ４ｂに当接しないので、ギア４は回転せず、ダンパー５は作用しない。図１０においては、ＩＩＩの区間に該当し、レバー３の回動角度は減少するが、ギア４の回動角度は変化しない。
【００６６】
図７は、扉開閉装置の扉９の開閉動作を示す図であり、トレイ１１が最大突出したところである。このとき、扉９が閉じる方向に働く力＝（バネの復元力−重力成分）がかかるが、扉開閉部材押圧面がトレイ１１の下面により抑えられ、扉９は回動しない状態である。次に、扉９が閉じる動作について説明する。
【００６７】
図７の状態から、図示しないモータによって、トレイ１１は図の左方向に移動される。これにより、トレイ１１と一体に移動するトレイ蓋１０の下端部が、扉開閉部材押圧面を押すことになる。このとき、扉９が閉じる方向に働く力＝（バネの復元力−重力成分）がかかっているが、トレイ蓋１０の下端部が扉開閉部材押圧面を押しているので、扉９は開く方向へ移動させられる。このとき、第１ボス３ａが第１リブ４ａに当接しないので、ギア４は回転せず、ダンパー５は作用しない。図１０においては、ＩＶの区間に該当し、レバー３の回動角度は増加するが、ギア４の回動角度は変化しない。
【００６８】
図８は、扉開閉装置の扉９を閉じる動作の途中を示す図であり、両扉開閉部材２，７が最大回動したところであり、上記図６と同じ状態になったところである。図８の状態を過ぎて更にトレイ１１が図の左方向に移動すると、第２ボス３ｂが第２リブ４ｂに当接するまでは、扉９が閉じる方向に働く力＝バネの復元力―重力成分となり、ダンパー５による抑制力は働かないので、バネの復元力は重力成分に対抗できるだけの大きさで済み、強力なバネを必要としない。また、扉９が閉じる方向に働く力が大きくても、扉開閉部材押圧面がトレイ蓋１０により押さえられているので、扉９が閉じる方向に働く力は妨げられる。図１０においては、Ｖの区間に該当し、レバー３の回動角度は減少するが、ギア４の回動角度は変化しない。
【００６９】
図９は、更にトレイ１１が図の左方向に移動して扉９が閉じる方向に移動し、両扉開閉部材２，７が最大回動した状態からレバー３がダンパー不作用角度の約３０度回動したところであり、第２ボス３ｂが第２リブ４ｂに当接したところである。これより、ダンパー５の抑制力が働くので、扉９が閉じる方向に働く力＝（バネの復元力−重力成分−ダンパー５の抑制力）となるが、重力成分は扉９等の重心が鉛直位置に近づくほど小さくなり、図９の状態では十分小さいものになっているので、扉９は閉じる方向に移動する。更にトレイ１１が図の左方向に移動して扉９が閉じる方向に移動し、扉９等の重心が鉛直位置を越えると、扉９が閉じる方向に働く力＝（バネの復元力＋重力成分−ダンパー５の抑制力）となり、バネの復元力に重力成分が加わって扉９が急激に閉じる方向に移動することをダンパー５の作用により抑制することができる。
【００７０】
この後、扉９は、閉位置（図４の状態）まで、第２ボス３ｂが第２リブ４ｂに当接してダンパー５を作用させたまま移動する。図１０においては、ＶＩの区間に該当し、レバー３と連動してギア４も回動し、ともに回動角度が減少している。また、ダンパー５の作用により、回動角度の角速度の絶対値はＶの区間より小さく（グラフの傾斜が緩やかに）なっている。
【００７１】
なお、本実施形態では、ダンパー不作用角度を扉９等の重心が鉛直位置に来る約３０度に設定している。ダンパー不作用角度をこの角度より小さくすると、扉９を開く動作において、扉９等の重心が鉛直位置に来る前にダンパー５が作用してしまうし、扉９を閉じる動作において、重力成分が大きいうちにダンパー５が作用してしまうので望ましくない。逆に、ダンパー不作用角度をこの角度より大きくする場合、大きくするに従って、ダンパー５が作用する区間が短くなり、ダンパー５を取り付けた意味がなくなってくる。
【００７２】
従って、ダンパー不作用角度は扉９等の重心が鉛直位置にくる約３０度に設定するのが望ましい。しかし、不作用角度は扉９等の重心が鉛直位置に来る角度に限定されるわけではなく、設計上無理がある場合には、この角度とは異なった角度を設定することも不可能ではない。
【００７３】
上記のように、本実施形態によれば、扉９を開く動作時、レバー３に設けられた第１ボス３ａがギア４に設けられた第１リブ４ａに当接している間だけギア４がレバー３と共に回動し、ギア４がダンパー５により回動を抑制されることにより、ギア４と共に回動するレバー３、レバー３と連動している左扉開閉部材２の回動が抑制され、左扉開閉部材２が固着している扉９を開く動作も抑制される。よって、扉９の急な開く動作を抑制して、緩やかな開く動作を行なうことができる。また、第１ボス３ａが第１リブ４ａに当接していない間は、ダンパー５が作用せず、ダンパー５による抑制力に対抗する必要がないので、扉を開くのに必要な力を小さくすることができる。
【００７４】
一方、扉９を閉じる動作時、レバー３に設けられた第２ボス３ｂがギア４に設けられた第２リブ４ｂに当接している間だけギア４がレバー３と共に回動し、ギア４がダンパー５により回動を抑制されることにより、ギア４と共に回動するレバー３、レバー３と連動している左扉開閉部材２の回動が抑制され、左扉開閉部材２が固着している扉９を閉じる動作も抑制される。よって、扉９の急な閉じる動作を抑制して、緩やかな閉じる動作を行なうことができる。また、第２ボス３ｂが第２リブ４ｂに当接していない間は、ダンパー５が作用せず、ダンパー５による抑制力に対抗する必要がないので、復元力の小さい両トーションバネ６，８でも扉を閉じることができる。
【００７５】
なお、上記第１実施形態では、左扉開閉部材２とレバー３が別部材で、これらが連動して回動するように構成されているが、左扉開閉部材２とレバー３を１つの部材にして、左扉開閉部材２にボスを設ける構成にしてもよい。図１１は、左扉開閉部材２に第１ボス２ｅ，第２ボス２ｆを設けた、第２の実施形態に係るディスクプレイヤの扉開閉装置の主要部分の分解斜視図である。ギア４及びダンパー５は、ギア４のリブ４ａ，４ｂが左扉開閉部材２に設けられたボス２ｅ，２ｆに当接できるように、ディスクプレイヤ本体１の一部に設けられた挿入孔１ａより内側に設けられている。それ以外の構成は、図１、２に示す第１実施形態に係るディスクプレイヤの扉開閉装置と同様である。この第２実施形態の構成では、部材を１つ減少することができ、原材料費と組み立て費用の削減により、生産コストを削減することができる。開閉動作については、上記第１実施形態と同様なので省略する。
【００７６】
また、上記第１実施形態では、ギア４に２つの第１リブ４ａ，第２リブ４ｂを設けた場合を説明したが、リブが１つだけでも構わない。図１２は、１つの第３リブ４ｃのみがギア４に設けられた、第３の実施形態に係るディスクプレイヤの扉開閉装置の主要部分の分解斜視図である。ダンパー５を作用させる区間を調整するためのダンパー不作用角度は、レバー３の第１ボス３ａと第２ボス３ｂとが回動中心となす角度からギア４の第３リブ４ｃの両端が回動中心となす角度を差し引いた角度となるので、第１ボス３ａと第２ボス３ｂとが回動中心となす角度が図２に示す第１実施形態の場合と比べて小さくなっている。例えば、第３リブ４ｃの両端が回動中心となす角度が５度の場合、ダンパー不作用角度を約３０度にするには、第１ボス３ａと第２ボス３ｂとが回動中心となす角度を約３５度にすればよい。なお、他の構成は、図１、２に示す第１実施形態に係るディスクプレイヤの扉開閉装置と同様である。この第３実施形態の構成では、組み立て時の位置決めにおいて、第３リブ４ｃを第１ボス３ａと第２ボス３ｂとの間に位置させればいいだけなので、第１実施形態のように第１リブ４ａと第２リブ４ｂとを第１ボス３ａと第２ボス３ｂとの間に位置させるより簡単である。開閉動作については、上記第１実施形態と同様なので省略する。
【図面の簡単な説明】
【００７７】
【図１】第１実施形態に係るディスクプレイヤの扉開閉装置の全体斜視図である。
【図２】第１実施形態に係るディスクプレイヤの扉開閉装置の主要部分の分解斜視図である。
【図３】レバーとギアの回動の状態を説明するための図である。
【図４】扉開閉装置とその周辺部分を横（図１におけるＡの方向）から見た図である（扉が閉位置にある状態）。
【図５】第１実施形態に係るディスクプレイヤの扉開閉装置の扉を開く動作を示す図（第１ボスが第１リブに当接したところ）である。
【図６】第１実施形態に係るディスクプレイヤの扉開閉装置の扉を開く動作を示す図（左扉開閉部材が最大回動したところ）である。
【図７】第１実施形態に係るディスクプレイヤの扉開閉装置の扉を開く動作を示す図（トレイが最大突出したところ）である。
【図８】第１実施形態に係るディスクプレイヤの扉開閉装置の扉を閉じる動作を示す図（左扉開閉部材が最大回動したところ）である。
【図９】第１実施形態に係るディスクプレイヤの扉開閉装置の扉を閉じる動作を示す図（第２ボスが第２リブに当接したところ）である。
【図１０】扉が閉位置から開位置を経て閉位置に戻るまでのレバーとギアの回動角度を示すグラフである。
【図１１】第２実施形態に係るディスクプレイヤの扉開閉装置の主要部分の分解斜視図である。
【図１２】第３実施形態に係るディスクプレイヤの扉開閉装置の主要部分の分解斜視図である。
【図１３】従来のディスクプレイヤの扉開閉装置の全体斜視図である。
【図１４】従来のディスクプレイヤの扉開閉装置とその周辺部分を横（図１３におけるＡ’の方向）から見た図である（扉が閉位置にある状態）。
【図１５】従来のディスクプレイヤの扉開閉装置の扉開閉動作を示す図（扉及び両扉開閉部材が、両扉開閉部材の回転方向に重力が働かない位置に達したところ）である。
【符号の説明】
【００７８】
１  ディスクプレイヤ本体
１ａ  挿入穴
１ｂ  左バネ受け
１ｃ  右バネ受け
１ｄ  回動軸
２  左扉開閉部材
２ａ  回動軸
２ｂ  バネ取付用突起
２ｃ  バネ受け
２ｄ  扉固着部
２ｅ  第１ボス（制限部材、伝達制御部材、第２の突出部材）
２ｆ  第２ボス（制限部材、伝達制御部材、第２の突出部材）
３  レバー
３ａ  第１ボス（制限部材、伝達制御部材、第２の突出部材）
３ｂ  第２ボス（制限部材、伝達制御部材、第２の突出部材）
４  ギア（制限部材、連結部材、第１のギア）
４ａ  第１リブ（制限部材、伝達制御部材、第１の突出部材）
４ｂ  第２リブ（制限部材、伝達制御部材、第１の突出部材）
４ｃ  第３リブ（制限部材、伝達制御部材、第１の突出部材）
５  ダンパー（抑制部材）
５ａ  ダンパーギア（制限部材、連結部材、第２のギア）
６  左トーションバネ
７  右扉開閉部材
７ａ  挿入孔
７ｃ  バネ受け
７ｄ  扉固着部
８  右トーションバネ
９  扉
１０  トレイ蓋
１１  トレイ
【図１】
2008152885.tif 000003
【図２】
2008152885.tif 000004
【図３】
2008152885.tif 000005
【図４】
2008152885.tif 000006
【図５】
2008152885.tif 000007
【図６】
2008152885.tif 000008
【図７】
2008152885.tif 000009
【図８】
2008152885.tif 000010
【図９】
2008152885.tif 000011
【図１０】
2008152885.tif 000012
【図１１】
2008152885.tif 000013
【図１２】
2008152885.tif 000014
【図１３】
2008152885.tif 000015
【図１４】
2008152885.tif 000016
【図１５】
2008152885.tif 000017